(57)【要約】【課題】品質信頼性の向上を図る。【解決手段】球が遊技機設置設備の側たるタンク３からスプロケット１５の球受部に連続して受容されないか、または、計数検出器１８の故障などで、制御装置２が計数検出器１８からの計数信号の一定間隔で入力されない現象を複数回連続して検出した場合に、異常判定手段２０は払出機構の異常であると判断してアクチュエータ１７を停止制御することによって、機構異常が発生するたびに球払出動作を停止することはなく、複数回連続して検出された場合に球払出動作を停止するので、複数回の数値設定で機構異常による垂れ流しと遊技者に不快感防止との調和を取りつつ、品質信頼性を向上することができる。【選択図】        図１
2004195131.tif 000002
【特許請求の範囲】
【請求項１】
払出体による球払出動作をアクチュエータで行う遊技機の球払出装置において、払出体から払い出される球を検出した計数検出器からの計数信号の一定間隔で入力されない現象が複数回連続して検出された場合にアクチュエータを停止制御する異常判定手段を備えたことを特徴とする遊技機の球払出装置。
【発明の詳細な説明】
【０００１】
【発明の属する技術分野】
本発明はパチンコ機やスロットマシンなどの遊技機で球を遊技者の側に払い出す球払出動作がアクチュエータで行われる球払出装置に関する。
【０００２】
【従来の技術】
従来のパチンコ機における球払出装置は、払出機構におけるスプロケットをステップモータのようなアクチュエータで一方向に回転駆動することで、遊技機設置設備から補給されたスプロケットよりも上流側の球をパチンコ機の裏側からパチンコ機の前側の受皿に払い出す球払出動作を行う。この払出機構から受皿に払い出される過程の球を計数検出器が検出して計数信号を制御装置に出力し、制御装置が計数信号の入力ごとに検出払出数をカウントアップし、カウントアップした検出払出数が入賞信号に対応する設定払出数と一致する場合に払出機構を停止制御する（例えば、特許文献１参照）。
【０００３】
【特許文献１】
特開２００１−３１００３９号公報（第３０−３１頁、段落番号０３１９−０３２８、図５６）
【０００４】
【発明が解決しようとする課題】
従来の球払出装置において、球が遊技機設置設備の側からスプロケットに不連続に供給（途切れ供給）された場合、球がスプロケットの球受部に連続して受容されない状態となり、計数検出器から計数信号が制御装置に一定間隔で入力されず、制御装置が払出機構の異常であると判断してアクチュエータを停止制御する。この機構異常となった場合、制御装置はアクチュエータの停止制御から６０秒程度後にアクチュエータを払出制御する再試行を行う。この再試行でも機構異常が発生すると、制御装置は上記と同じ再試行を繰り返す。その理由は、制御装置での計数信号の不整な入力形態が遊技機設置設備の側からの球の不連続で発生した現象なのか計数検出器の故障で発生した現象なのか判別できないので、最悪の球の垂れ流しとなる計数検出器故障を想定し、球の垂れ流し防止となる安全方向設計（セフティロック）の考えからである。しかしながら、機構異常が発生するたびに、球払出動作が停止するので、遊技者に不快感を与えるばかりでなく、品質信頼性も悪くなるという問題点がある。
【０００５】
そこで、本発明は、制御装置が計数検出器からの計数信号を複数回連続して検出できない場合に機構異常と判断することで、品質信頼性を向上することができる球払出装置を提供するものである。
【０００６】
【課題を解決するための手段】
本発明にあっては、払出体による球払出動作をアクチュエータで行う遊技機の球払出装置において、払出体から払い出される球を検出した計数検出器からの計数信号の一定間隔で入力されない現象が複数回連続して検出された場合にアクチュエータを停止制御する異常判定手段を備えたことによって、途切れ供給が発生するたびに球払出動作を停止することなく、計数検出器からの計数信号の一定間隔で入力されない現象が複数回連続して検出された場合に球払出動作を停止するので、複数回の数値設定で機構異常による垂れ流しと遊技者に不快感防止との調和を取りつつ、品質信頼性を向上することができる。
【０００７】
【発明の実施の形態】
図１は第１実施形態に係るパチンコ機の球払出装置を模式的に示す。図１においてパチンコ機１は裏側における制御装置２が電力供給で起動し、パチンコ機１の裏側におけるタンク３に球が貯蔵され、球切れ検出器５が球を検出した球有り信号を制御装置２に出力し、パチンコ機１の前側における受皿６に球が入れられた状態において、パチンコ機１の前側におけるハンドルグリップと呼ばれるような球発射操作機構７が遊技者で操作されると、その操作量に応じてパチンコ機１の内部における球発射機構８が受皿６から供給された球を１個ずつパチンコ機１の内部における遊技主体である遊技盤９の遊技領域に向けて発射する。
【０００８】
遊技盤９の遊技領域から球が当該遊技領域に配置された複数の入賞部品１０のいずれかに入賞し、その入賞した球を検出した入賞球検出器１１が入賞信号を制御装置２に出力する。制御装置２は入力信号が入力ポートの位置の違いで、どの入賞部品１０に対応する入賞球検出器１１からの入賞信号であるかを識別した後、払出機構４のスプロケット１５に連結されたステップモータのようなアクチュエータ１７を払出制御する。これによって、スプロケット１５が球払出駆動（矢印Ｘ１方向に回転駆動）するのに伴い、払出機構４が上記入賞という遊技の結果に対する賞としての球を受皿６に払い出す。スプロケット１５は回転体の周面から回転中心方向に１個の球を収納可能に窪む複数の球受部を周方向に等間隔を隔てて備えた払出体である。
【０００９】
この払出機構４における球払出動作の開始に伴い、タンク３からの球が通路１２を移動する過程において、払出機構４の計数検出器１８が当該通路１２を通過する球を検出して計数信号を制御装置２に出力する。制御装置２は計数信号をカウントアップし、そのカウントアップした検出払出数が上記入賞に対する払い出すべき設定払出数と一致する場合に、または、計数信号で設定払出数をカウントダウンし、そのカウントダウンした値が「０」になった場合に、アクチュエータ１７を停止制御する。
【００１０】
とりわけ、第１実施形態の場合、球が遊技機設置設備の側たるタンク３からスプロケット１５の球受部に連続して受容されないか、または、計数検出器１８の故障などで、制御装置２が計数検出器１８からの計数信号の一定間隔で入力されない現象を複数回連続して検出した場合に払出機構４の異常であると判断してアクチュエータ１７を停止制御することが重要な点である。これを達成するために、制御装置２はマイクロコンピュータがＲＯＭに格納されたプログラムで動作することで具現化される異常判定手段２０を備える。異常判定手段２０は計数信号の一定間隔で入力されない現象を監視し、時刻ｔ２；ｔ３での計数信号を点線で示すように、計数信号の一定間隔で入力されない現象が複数回連続して検出された場合に異常判定信号を出力してアクチュエータ１７を停止制御する。よって、途切れ供給が発生するたびに球払出動作を停止することなく、計数信号の一定間隔で入力されない現象が複数回連続して検出された場合に球払出動作を停止するので、複数回の数値設定で機構異常による垂れ流しと遊技者に不快感防止との調和を取りつつ、品質信頼性を向上することができる。
【００１１】
図２は第２実施形態に係るパチンコ機１の球払出装置を示す。図２において、払出装置は、入賞球検出器１１が入賞部品に入賞した球を検出して入賞信号を制御装置２に出力し、制御装置２が払出機構４を払出制御すると、払出機構４の１つのアクチュエータ１７が互いに隔てられた複数の通路１２；１３ごとに設けられたスプロケット１５；１６を駆動することで、複数の通路１２；１３から上記入賞に対する賞としての球が受皿６に払い出される。この払出機構４から受皿６に払い出される過程の球を複数の通路１２；１３ごとに設けられた計数検出器１８；１９が検出して計数信号を制御装置２に出力し、制御装置２が計数信号の入力ごとに検出払出数をカウントアップし、カウントアップした検出払出数が入賞信号に対応する設定払出数と一致する場合、または、計数信号で設定払出数をカウントダウンし、そのカウントダウンした値が「０」になった場合に、アクチュエータ１７を停止制御する構造である。そして、第２実施形態において、例えば、時刻ｔ１２；ｔ１４での計数信号を点線で示すように、計数検出器１８；１９のいずれかからの計数信号の一定間隔で入力されない現象が複数回連続して検出された場合、異常判定手段２０が球払出動作を停止する。よって、この第２実施形態における計数検出器１８；１９のいずれかからの計数信号の一定間隔で入力されない現象が複数回連続して検出された場合は、第１実施形態における計数検出器１８からの計数信号の一定間隔で入力されない現象が複数回連続して検出された場合と同等である。
【００１２】
図示は省略するが、スプロケット１５に爪車を一緒に回転するように設け、電磁ソレノイドによるアクチュエータで動作する爪が爪車に係合することで球払出を停止し、アクチュエータの動作で爪が爪車から解除することで球払出を開始する形態とし、このアクチュエータが異常判定手段２０で制御されれば、同様に適用することができる。また、球を遊技媒体として用いるスロットマシンの球払出装置としても適用可能である。
【図面の簡単な説明】
【図１】第１実施形態のパチンコ機の球払出装置を示す模式図。
【図２】第２実施形態のパチンコ機の球払出装置を示す模式図。
【符号の説明】
２  制御装置
１２；１３  通路
１５；１６  スプロケット
１７  アクチュエータ
１８；１９  計数検出器
２０  異常判定手段
【図１】
2004195131.tif 000003
【図２】
2004195131.tif 000004